(57)【要約】【課題】メインマイコンが、サブマイコンの動作状況を配線を有さずに監視可能である、マイコンの動作確認システムを提供する。【解決手段】メインマイコン１と、サブマイコン２と、メインマイコン１に接続された受光装置３と、サブマイコン２に接続されたＬＥＤ４とを備え、ＬＥＤ４から発せられた光を受光装置３に導くプリズム５をさらに備え、ＬＥＤ４が発する光を受光装置３が受光することによって、メインマイコン１がサブマイコン２の動作確認を行うようになっている。【選択図】図１
2008131426.tif 000002
【特許請求の範囲】
【請求項１】
第１マイクロコンピュータと、
第２マイクロコンピュータと、
前記第１マイクロコンピュータに接続された受光装置と、
前記第２マイクロコンピュータに接続されたＬＥＤと、
前記ＬＥＤから発せられた光を前記受光装置に導くプリズムと、
を備え、
前記第１マイクロコンピュータと前記第２マイクロコンピュータとの間には、電気的配線を有しておらず、
前記第２マイクロコンピュータは、商用電源から電力が供給され、前記第１マイクロコンピュータは前記商用電源からトランスを介して電力が供給され、
前記受光装置は、該光ディスク装置を光信号によって遠隔操作するリモートコントロール装置からの前記光信号を受信する受光装置であり、
前記ＬＥＤは、前記電子機器の主電源がオン状態のとき、且つ、前記第２マイクロコンピュータが正常に動作しているときに発光するインジケータ用のＬＥＤであり、
前記ＬＥＤから発せられる光のキャリア周波数は、前記受光装置の受光感度ピークからずれていて、
前期ＬＥＤが発する光を前記受光装置が受光することによって、前記第１マイクロコンピュータが前記第２マイクロコンピュータの動作確認を行うようになっているマイクロコンピュータの動作確認システムを備えたことを特徴とする光ディスク装置。
【請求項２】
第１マイクロコンピュータと、
第２マイクロコンピュータと、
前記第１マイクロコンピュータに接続された受光装置と、
前記第２マイクロコンピュータに接続されたＬＥＤと、
を備え、
前記ＬＥＤから発せられた光を前記受光装置に導く導光手段をさらに備え、
前期ＬＥＤが発する光を前記受光装置が受光することによって、前記第１マイクロコンピュータが前記第２マイクロコンピュータの動作確認を行うようになっていることを特徴とするマイクロコンピュータの動作確認システム。
【請求項３】
前記第１マイクロコンピュータと前記第２マイクロコンピュータとの間には、通信配線を有しないことを特徴とする請求項２に記載のマイクロコンピュータの動作確認システム。
【請求項４】
前記受光装置は、前記マイクロコンピュータの動作確認システムが搭載された電子機器を光信号によって遠隔操作するリモートコントロール装置からの前記光信号を受信する受光装置であることを特徴とする請求項２又は３に記載のマイクロコンピュータの動作確認システム。
【請求項５】
前記ＬＥＤは、前記マイクロコンピュータの動作確認システムが搭載された電子機器の主電源がオン状態のとき、且つ、前記第２マイクロコンピュータが正常に動作しているときに発光するインジケータ用のＬＥＤであることを特徴とする請求項２〜４のいずれかに記載のマイクロコンピュータの動作確認システム。
【請求項６】
前記導光手段は、プリズムを含むことを特徴とする請求項２〜５のいずれかに記載のマイクロコンピュータの動作確認システム。
【請求項７】
前記導光手段は、光学シートを含むことを特徴とする請求項２〜６のいずれかに記載のマイクロコンピュータの動作確認システム。
【請求項８】
前記ＬＥＤから発せられる光のキャリア周波数は、前記受光装置の受光感度ピークからずれていることを特徴とする請求項２〜７のいずれかに記載のマイクロコンピュータの動作確認システム。
【請求項９】
前記第２マイクロコンピュータは、商用電源から電力が供給され、前記第１マイクロコンピュータは前記商用電源からトランスを介して電力が供給されることを特徴とする請求項２〜８のいずれかに記載のマイクロコンピュータの動作確認システム。
【発明の詳細な説明】
【技術分野】
【０００１】
本発明は、マイクロコンピュータ（以下、マイコンと記述する）の動作確認システムに関し、特に、複数のマイコンが独立の制御機能を有する電子機器に搭載された、マイコンの動作確認システムに関する。
【背景技術】
【０００２】
近年、複数の機能を同時に有する電子機器が増加しつつある。こうした電子機器の多機能化の中で、それぞれの機能はそれぞれの機能に対応したマイコンが個々に設けられている。例えばテレビ機能とＤＶＤ機能を一つの電子機器に内蔵したものであれば、テレビ機能用のマイコンとＤＶＤ機能用のマイコンがそれぞれ備えられている。このような複数の機能を併せ持つ電子機器はそれぞれのマイコン間では相互間の通信が必要であり、その通信のための配線がプリント配線基板などによって設けられている。
【０００３】
しかしながら、このような複数のマイコンを有する電子機器においても、相互間の複雑な通信を必要としないものもある。つまり、一方のマイコンが動作しているか否かを他方のマイコンが監視するのみで、その他の情報の交換を必要としないというような場合である。例えば、一つの給湯器の中で、給湯器の安全回路を制御するマイコンと給湯機能を制御するマイコンとの間の通信である。この場合、後者のマイコンは、前者のマイコンが動作（稼動）しているか否かを検知する必要があるのみで、前者のマイコンが動作していないことを検知すると、給湯を停止したり、給湯器の電源をオフにしたり、或いは、警報を鳴らすといった制御を行う。これはいわゆるウォッチドッグ機能と呼ばれるものである。このような場合でも、この通信のためだけに配線を備えた構成としている。
【特許文献１】特開平８−２５６１２１号公報
【特許文献２】特開２００３−６９５０６号公報
【発明の開示】
【発明が解決しようとする課題】
【０００４】
しかしながら、上記のように、複数のマイコン間の通信の必要性が、他方のマイコンが動作しているか否かを確認するためのみの場合に、プリント配線基板上に配線パターンを形成し、その配線によって通信することは、効率的ではない。
【０００５】
そこで本発明は、上記の問題に鑑みてなされたものであり、メインマイコンがサブマイコンの動作状況を配線を有さずに監視する、マイコンの動作確認システムを提供することをその目的とするものである。
【課題を解決するための手段】
【０００６】
上記目的を達成するため、本発明によるマイコンの動作確認システムは、第１マイコンと、第２マイコンと、第１マイコンに接続された受光装置と、第２マイコンに接続されたＬＥＤとを備えた電気機器におけるマイコンの動作確認システムにおいて、ＬＥＤから発せられた光を受光装置に導く導光手段をさらに備え、ＬＥＤが発する光を受光装置が受光することによって、第１マイコンが第２マイコンの動作確認を行うようになっていることを特徴とする。
【０００７】
このような構成によると、第１マイコンが第２マイコンの動作確認を、通信用の配線を介さずに行うことが可能になる。
【０００８】
またさらに、本発明によるマイコンの動作確認システムは、第１マイコンと第２マイコンとの間には、電気的配線を有しないことが望ましい。
【０００９】
このような構成によると、それぞれのマイコンが電気的に独立しており、それぞれのマイコンに個々のＧｒｏｕｎｄをとることが可能になる。
【００１０】
またさらに、本発明によるマイコンの動作確認システムは、受光装置が、この受光装置の搭載された電子機器を光信号によって遠隔操作するリモートコントロール装置からの光信号を受信する受光装置であることが望ましい。
【００１１】
このような構成によると、新たな受光装置を設ける必要が無く、作業効率の向上や低コスト化が可能になる。
【００１２】
またさらに、本発明によるマイコンの動作確認システムは、ＬＥＤが、電子機器の主電源がオン状態のとき、且つ、第２マイコンが正常に動作しているときに発光するインジケータ用のＬＥＤであることが望ましい。
【００１３】
このような構成によると、第１マイコンは第２マイコンの動作異常をＬＥＤが発光しているか否かによって確認することが可能になり、また、インジケータ用のＬＥＤを用いるため、新たにＬＥＤを設ける必要が無く、低コスト化が可能になる。
【００１４】
またさらに、本発明によるマイコンの動作確認システムは、導光手段が、プリズムを含むことが望ましい。
【００１５】
このような構成によると、プリズムは単体でＬＥＤから発せられる光を導光することが可能であり、省スペース化が望める。また、受光装置は受光角度によっても受光感度に差があるため、受光感度の高い受光角度で光を入射させることが理想であるが、プリズムを用いれば、リモコン装置からの光信号が受光器に入るのを遮らないため、受光装置の受光感度の高い受光角度に合わせた入射が可能になる。
【００１６】
またさらに、本発明によるマイコンの動作確認システムは、導光手段が、光学シートを含むことが望ましい。
【００１７】
このような構成により、透過率と反射率の割合を、光学シートの構成によって容易に選択可能なため、導光手段の構成の自由度が増すことになる。したがって、電子機器の様々な配置規制や外形規制に対応した導光手段を構成することが可能になる。
【００１８】
またさらに、本発明によるマイコンの動作確認システムは、ＬＥＤから発せられる光のキャリア周波数が、受光装置の受光感度ピークからずれていることが望ましい。
【００１９】
このような構成により、ＬＥＤから発せられる光を確実に受光装置が受光可能になり、また、受光装置がＬＥＤから発せられる光をリモコン装置からの光信号として誤認識する確率を軽減できる。
【００２０】
またさらに、本発明によるマイコンの動作確認システムは、第２マイコンが、商用電源から電力が供給され、第１マイコンは商用電源からトランスを介して電力が供給されることが望ましい。
【００２１】
このような構成によると、第１マイコンと第２マイコンは、第１マイコンと第２マイコンとの間の電気的配線を有さずに共通の商用電源から電力を得ることが可能になる。
【発明の効果】
【００２２】
本発明のマイコンの動作確認システムによれば、メインマイコンがサブマイコンの動作状況を確認するための配線を必要とせず、作業効率の向上やコストの削減につながる。
【発明を実施するための最良の形態】
【００２３】
以下に、本発明の実施形態について図面を参照しながら詳述する。先ず、本発明の第１実施形態であるマイコンの動作確認システムについて説明する。図１は本実施形態の主要部を示すブロック図である。図２は本実施形態の光路を示す模式図である。なお、図中で図１と同じ名称で同じ機能を果たす部分には同一の符号を付し、重複する説明は省略する。後述する実施例においても同様とする。
【００２４】
図１に示すマイコンの動作確認システムは、メインマイコン１、サブマイコン２、メインマイコン１に接続された受光装置３、サブマイコンに接続されたインジケータ用ＬＥＤ４、及び、受光装置２とＬＥＤ４とに近接して配置されたプリズム５とを備えている。
【００２５】
メインマイコン１は、このメインマイコン１が搭載された電子機器の主機能を制御するマイコンであり、サブマイコン２は、その電子機器の副機能を制御するマイコンである。また、本実施形態でのメインマイコン１とサブマイコン２は機能的には独立したものである。
【００２６】
メインマイコン１は受光装置２と配線を介して接続されており、受光装置２からの電気信号を受け取り、その電気信号によりこの電子機器の種々の動作を制御する。また、サブマイコン２は、ＬＥＤ４と接続されＬＥＤ４の発光、消灯、発光時の光量、ＬＥＤ４から発せられる光のキャリア周波数およびキャリア周波数のパルス幅なども制御する。
【００２７】
受光装置３は、この電子機器を遠隔操作によって操作するリモコン装置からの光信号を受信するものとして備えられる。この受光装置３の内部には、受光部３ａとしてフォトトランジスタを備え、さらに、このフォトトランジスタからの電気信号を、増幅、取り出し、検出及び積分などを行った後、メインマイコン１へその電気信号をデジタル出力するＩＣ３ｂを備える。このＩＣ３ｂには受光信号の自動増幅率制御機能が備わっており、受光部３ａの受光量が多いと受光感度（増幅率）を下げ、受光部３ａの受光量が少ないと受光感度（増幅率）を上げる構成になっている。また、受光部３ａは光の入射角によって受光感度が異なる。一般的には、受光部３ａの受光面に対し垂直方向が最も受光感度が良い。また、受光する光信号のキャリア周波数に対しても受光感度分布を有している。
【００２８】
ＬＥＤ４はサブマイコン２に接続されており、この電子機器の主電源（リモコンによって操作不可能な手動式の電源）をオン状態にすると発光し、オフ状態になると消灯する。図２に示すように、ＬＥＤ４から発せられた光６ａは、上述のように、プリズム５の面５ａを透過して、面５ｂにおいてその光の一部６ｂが透過して、この電子機器の外部に出射する。光の一部６ｂは、この電子機器の使用者に電子機器の主電源がオン状態であることを通知する。すなわち、電子機器の主電源がオン状態のときは常に発光している（ただし、厳密には間欠点灯している）。また、ＬＥＤ４から発せられ、プリズム５の面５ｂを透過しない光の一部６ｃすなわち面５ｂによって反射された光は、プリズム５内を通って面５ｃに到達して反射され、反射された光６ｄは面５ａを透過して受光装置４の受光部３ａに入射する。
【００２９】
プリズム５は図２に示すように、上面視において台形形状を成しており、透明なアクリルによって形成されているものを用いる。このプリズム５は、面５ａに垂直に入射した光６ａを透過し、面５ｂではその光の一部６ｂが透過し、他の一部６ｃを面５ｃ方向に反射させ、面５ｃでは、同様に一部を透過させ、他の一部を反射する構成となっている。また、面５ｃでは、この電子機器の外部方向から光７ａが入射し、その入射した光７ｂは、面５ａを透過する。また、面５ｃの位置および角度は、受光部３ａへの光の入射角を考慮して形成されることが望ましい。
【００３０】
本実施形態によるマイコンの動作確認システムでは、サブマイコン２が正常に動作しているときはＬＥＤ４が発光しており、この発光による光を受光部３ａが感知することによる電気信号がメインマイコン１に出力され、メインマイコン１はサブマイコンが稼動している事を認識する。
【００３１】
一方、サブマイコン２が正常に動作しなくなった場合は、ＬＥＤ４が点灯しなくなり（消灯し）、メインマイコン１は、受光装置３にＬＥＤ４から発せられた光が受光されなくなったことを感知し、サブマイコン２の動作に異常が生じた事を認識する。
【００３２】
本実施形態のマイコンの動作確認システムによると、通信線を介さずにメインマイコン１がサブマイコン２の可動状況を認識することが可能になり、したがって、プリント配線基板などを用いる必要がなく、作業効率の向上やコストの削減につながる。
【実施例１】
【００３３】
次に、本実施形態の実施例１について図３を用いて説明する。本実施例は冷却ファン１１を有する光ディスク装置に上記の実施形態を適用したものである。
【００３４】
この光ディスク装置は、光ディスク機能（例えばＤＶＤ再生機能など）を制御するメインマイコン１と、この光ディスク装置の発熱部を冷却する冷却ファン１１と、発熱部の発熱を感知する温度センサ１２と、この温度センサ１２からの出力を受信し、この出力によって冷却ファン１１の動作を制御するサブマイコン２（実際には冷却ファン１１への電力供給スイッチ１１ａのオン／オフの切替を制御する）と、この光ディスク装置を遠隔操作するリモコン装置からの光信号を受信する受光装置３と、この光ディスク装置の主電源１４（手動スイッチによってのみ操作可能であり、リモコンによる操作は不可能）がオン状態であることを示すインジケータ用のＬＥＤ４と、このＬＥＤ４から発せられた光を受光装置３に導光するプリズム５とを備えている。
【００３５】
また、メインマイコン１とサブマイコン２の間には配線は設けられておらず、電力はトランス１３を介して供給される。したがって、メインマイコン１とサブマイコン２はアイソレーション状態にある。
【００３６】
光ディスク装置は、ＣＤやＤＶＤ等の光ディスクに情報を書き込む光ディスク記録機能や、光ディスクから情報を再生する光ディスク再生機能などの機能を有している。また、ディスクに情報を読み書きするための半導体レーザを備えたＯＰＵ（光ピックアップユニット）やマイコン内に備えられた半導体集積回路などが搭載される。このＯＰＵの動作や半導体集積回路の動作は温度による影響を受けやすい。
【００３７】
また、光ディスクから情報を読出したり書き込んだりする場合は、モータが高速でディスクを回転させる。その際に、モータから熱が発生する。また、光ディスクに情報を書き込む場合には読出し時よりもレーザの出力が大きくなり、さらに、光ディスクに情報を書き込んだり情報を読出したりするためにメインマイコン１が動作する。これらの動作によっても熱が発生し、光ディスク装置の温度が上昇する。したがって、これらの回路の温度上昇を抑えるために冷却が必要となる。
【００３８】
冷却には冷却ファン１１を用いる。冷却ファン１１が動作すると光ディスク装置内部に空気の流れが生じ、ＯＰＵや半導体集積回路に生じた熱が奪われる。
【００３９】
光ディスク装置には、冷却システム部として、冷却ファン１１のほかに温度センサ１２や冷却ファン１１の動作を制御するための制御回路（サブマイコン２）が含まれる。サブマイコン２は温度センサ１２の測定結果に基づいて、電力供給スイッチ１１ａを制御して、冷却ファン１１を動作させたり、停止させたりする。
【００４０】
しかしながら、この冷却ファン１１の動作を制御するサブマイコン２が暴走した場合、上記の光ディスクを回転させるモータやメインマイコン１などから発生する熱を放熱することができなくなり、メインマイコン１の誤動作や故障、或いは、発火などを引き起こす。このような状況を防ぐため、メインマイコン１は、光ディスク機能を動作させている時は、常時、サブマイコン２が正常に動作しているかを確認する必要がある。言い換えれば、サブマイコン２はメインマイコン１にサブマイコン２自信の動作状況を通達する必要がある。
【００４１】
そこで、本実施例では、サブマイコン２に接続されたインジケータ用のＬＥＤ４から発せられた光を受光装置４に導光するためのプリズム５を設けている。ＬＥＤ４は、この光ディスク装置の主電源１４がオン状態になると発光するようになっているため、主電源オン状態を示すインジケータ用のＬＥＤ４であるが、それは、サブマイコン２が正常動作しているときに限られる。すなわち、サブマイコン２に電力が供給され、且つ、サブマイコン２が正常に動作しているときは所定の光を発光する。ここで、所定の光とは、受光装置３の受光感度によって設定される。具体的には、受光装置２は受光する光信号のキャリア周波数に対する受光感度分布を有しており、この受光感度分布の受光感度ピーク値はリモコン装置からの光信号のキャリア周波数と一致する。この周波数は例えば３６ｋＨｚである。そこで、ＬＥＤ４から発せられる光のキャリア周波数は、その受光感度ピーク値からずらしたキャリア周波数を使用する。この周波数は例えば３５ｋＨｚである。これは、受光装置３が受光した光信号をメインマイコン１が処理する際に、リモコン装置からの信号とＬＥＤ４からの信号とを識別可能にするためである。また、ＬＥＤ４から発せられる光の光量を調節には間欠点灯とすることで調節する。この光の送信波形の概念図を図４に示す。メインマイコン１には、これらのＬＥＤ４から発せられる光とリモコン装置から発せられる光信号とを識別するための機能を予め記憶させておく。簡易的には、ＬＥＤ４から発せられる光は、図４に示すように、常に周期的に点滅しており、反対に、リモコン装置からの光信号は不規則に送信され、また、所定のヘッダー信号を有していることなどから、容易にこれらの光を識別することが可能である。
【００４２】
しかしながら、サブマイコン２に異常が発生するとＬＥＤ４は発光しなくなる。したがって、受光装置３はＬＥＤ４から発せられる光の信号をメインマイコン１に出力しなくなる。この出力を受信しなくなったことをメインマイコン１はサブマイコン２の故障と認識し、光ディスク機能による動作を停止させるとともに、この光ディスク装置が有する表示手段や警報ブザーなどによって使用者に通達する。
【００４３】
このように、メインマイコン１とサブマイコン２の間の情報通信が、メインマイコン１によるサブマイコン２の動作確認のみである場合において、通信配線を設けることなく確認することが可能になる。しかも、本実施例のようにトランスを介して電力供給する場合においては、一切の電気的配線を設ける必要が無く、サブマイコン２の動作確認のためだけにポートや配線を設けていたものと比較すると、作業効率の向上やコストの低下が可能になる。
【００４４】
なお、本実施例におけるＬＥＤ４は、主電源１４がオン状態で、サブマイコン２が正常に動作しているときは常に発光しており、冷却ファン１１の動作に依存しない構成であるが、冷却ファン１１からのフィードバック回路をサブマイコン２に設けることにより、冷却ファン１１の異常動作をサブマイコン２が検知することで、その異常をＬＥＤ４の発光に反映し、メインマイコン１に通達する構成とすることも可能である。同様に温度センサ１２などのサブマイコン２が制御するものであれば、その異常をメインマイコン１に通達する構成とすることが可能である。
【実施例２】
【００４５】
次に、本発明の実施例２について、図５を参照しながら説明する。本実施例の特徴は、実施例１における導光手段の構造の簡素化を図った点にある。これは、実施例１の導光手段であるプリズム５では、リモコン装置からの光信号がプリズム５の面５ｃや面５ａを透過する必要があり、これらの面に傷がついたりや塵埃が付着した場合に、リモコン装置からの光信号が散乱される恐れがあるからである。また、プリズム５の材質や面の角度によっては、受光部３ａに到達する光信号の強度が減衰したり光量が減少したりするため、リモコン装置による操作可能距離が短くなる恐れがある。
【００４６】
そこで、本実施例では、プリズム８を図５に示すような形状にする。また、反射板９を、受光装置３の受光部３ａの正面からずらした位置に配置する。この反射板９はガラス板によって形成されＬＥＤ４からの光がプリズム８によって導光された光が入射する面９ａに全反射シートを貼りつけたものでも良い。
【００４７】
本実施例によると、リモコン装置からの光信号がプリズム８を透過することが無く、したがって、上述のような、この光信号の強度が減衰したり、光量が減少したりすることがなくなる。
【００４８】
その他本発明は上記の各実施例に限定されず、本発明の趣旨を逸脱しない範囲で、種々の変更が可能である。例えば、導光手段としては図６に示すように上面視三角形状のプリズム１０を設け、面１０ａによって、反射する光と透過する光に分離してもよい。これにより構成部材の簡素化を図ることが可能に成るとともに、リモコン装置からの光信号を導光手段がさえぎることがなくなり、この光信号の強度が減衰したり、光量が減少したりすることがなくなる。
【００４９】
またさらに、各導光手段の側面には、半透過半反射型の光学シートを設けても良い。また、ハーフミラーなどの光学材料を用いても良い。またさらに、導光手段の配置位置は、上記の実施例に限られず、ＬＥＤ４から発せられた光の一部を受光装置３の受光部３ａに導光し、且つ、受光装置３の受光可能角度範囲内に入射させるような配置であれば良い。すなわち、光学シートや光学材料の組み合わせにより、種々の変更が可能となり、これにより、様々な電子機器の外形規制やその電子機器内での配置規制にも対応することが可能になる。
【図面の簡単な説明】
【００５０】
【図１】本発明の第一実施形態におけるマイコンの動作確認システムのブロック図である。
【図２】本発明の光路を示す模式図である。
【図３】本発明の実施例１における主要部のブロック図である。
【図４】実施例１におけるＬＥＤからの光の送信波形を示す図である。
【図５】実施例２における主要部の模式図である。
【図６】実施例２の変形例を示す模式図である。
【符号の説明】
【００５１】
１    メインマイコン
２    サブマイコン
３    受光装置
３ａ  受光部
３ｂ  ＩＣ
４    ＬＥＤ
５    プリズム
８    プリズム
９    反射板
１０    プリズム
１１    冷却ファン
１２    温度センサ
１３    トランス
１４    主電源
【図１】
2008131426.tif 000003
【図２】
2008131426.tif 000004
【図３】
2008131426.tif 000005
【図４】
2008131426.tif 000006
【図５】
2008131426.tif 000007
【図６】
2008131426.tif 000008